【手続補正書】
【提出日】平成27年8月18日(2015.8.18)
【手続補正１】
【補正対象書類名】明細書
【補正対象項目名】００５３
【補正方法】変更
【補正の内容】
【００５３】
本明細書では、ベストモードを含む様々な実施形態を開示するために実施例を使用し、任意のデバイスやシステムの製作及び使用並びに任意の組み込まれた方法の実行を含め、当業者がこれらの実施形態を実行できるようにしている。特許性の範囲は、特許請求の範囲によって画定され、当業者が想到する他の例も含み得る。このような他の例は、それらが特許請求の範囲の文言と異ならない構成要素を有する場合、あるいは、それらが特許請求の範囲の文言とわずかに異なる同等の構成要素を有する場合は、特許請求の範囲の範囲内にあることを意図する。
また、本発明は以下に記載する態様を含む。
（態様１）
音声通信及び／又はデータ通信をサポートする際に使用するための携帯通信デバイスであって、前記携帯通信デバイスは、
筐体、
前記筐体内部に少なくとも部分的に配置されるプロセッサ、及び
前記筐体に配置されかつ前記プロセッサに結合されるインターフェースコネクタであって、前記インターフェースコネクタは、少なくとも一つのアクセサリー機能を提供するように構成されるモジュールに結合されるように構成され、前記プロセッサは、複数の通信プロトコルを介して、前記インターフェースコネクタを通して通信し、かつ前記インターフェースコネクタに結合される前記モジュールに基づき前記複数の通信プロトコルのうちの少なくとも一つを選択するように構成される、インターフェースコネクタ
を備える、携帯通信デバイス。
（態様２）
前記インターフェースコネクタは、ＵＳＢインターフェース、Ｉ２Ｃインターフェース、ＳＰＩインターフェース、ＵＡＲＴインターフェース、及びディスプレーインターフェースのうちの少なくとも二つを備える、態様１に記載の携帯通信デバイス。
（態様３）
前記インターフェースコネクタは、前記プロセッサが前記モジュールの存在を検出することを許可するように構成される検出接続を備える、態様１に記載の携帯通信デバイス。
（態様４）
前記プロセッサは、前記モジュールを認証するように構成され、前記プロセッサは、未承認のモジュールとの通信を禁止するように構成される、態様１に記載の携帯通信デバイス。
（態様５）
前記プロセッサは、実質的に承認されたモジュールのためだけの前記複数の通信プロトコルのうちの前記少なくとも一つを選択するようにさらに構成される、態様４に記載の携帯通信デバイス。
（態様６）
前記インターフェースコネクタは、ＵＳＢインターフェース、Ｉ２Ｃインターフェース、ＳＰＩインターフェース、ＵＡＲＴインターフェース、及びディスプレーインターフェースのうちの少なくとも二つを備える、態様４に記載の携帯通信デバイス。
（態様７）
前記プロセッサに結合されるクリプトプロセッサをさらに備え、前記クリプトプロセッサは、前記プロセッサによりアクセスされるデータの一部分に暗号化動作を提供するように構成される、態様１に記載の携帯通信デバイス。
（態様８）
前記筐体は、少なくとも一つのアクセサリー機能を提供するように構成される前記モジュールをスライド可能に係合させるように構成される、態様１に記載の携帯通信デバイス。
（態様９）
前記プロセッサに結合されるＧＰＳコンポーネントをさらに備える、態様１に記載の携帯通信デバイス。
（態様１０）
セルラーコントローラ、前記セルラーコントローラに結合される少なくとも二つのＳＩＭカードソケット、及び入力デバイスをさらに備え、前記少なくとも二つのＳＩＭカードソケットの各々はユーザアカウントと関連付けられるＳＩＭカードに結合されるように構成され、前記入力デバイスは前記少なくとも二つのＳＩＭカードソケットと結合されるＳＩＭカード間で切り換わるように構成される、態様１に記載の携帯通信デバイス。
（態様１１）
前記プロセッサは、前記インターフェースコネクタで電力を管理して前記モジュールのホットスワップを許可するように構成される、態様１に記載の携帯通信デバイス。
（態様１２）
前記インターフェースコネクタは、高い嵌合寿命を提供するように構築される、態様１に記載の携帯通信デバイス。
（態様１３）
前記筐体内部に配置されるバッテリーをさらに備え、前記プロセッサは、少なくとも一つのアクセサリー機能を提供する前記モジュールと関連付けられるモジュールバッテリーを検出するように構成され、かつ前記バッテリーと前記モジュールバッテリーとの間の少なくとも一つの方向に充電を提供するように構成される、態様１に記載の携帯通信デバイス。
（態様１４）
少なくとも一つのアクセサリー機能を携帯通信デバイスに追加する際に使用するための方法であって、前記携帯通信デバイスはプロセッサ及びインターフェースコネクタを備え、前記方法は、
前記携帯通信デバイスの前記インターフェースコネクタに結合されるモジュールの存在を検出すること、
前記モジュールを前記プロセッサで識別すること、及び
前記モジュールの前記識別に基づき、前記インターフェースコネクタを通して前記モジュールと通信するために、前記携帯通信デバイスによりサポートされる複数の通信プロトコルのうちの少なくとも一つを、前記プロセッサで選択すること
を含む方法。
（態様１５）
前記モジュールを識別することは、前記モジュールの前記識別に基づき、前記モジュールが前記携帯通信デバイスとともに使用するための承認されたモジュールであるかどうかを判定することを含む、態様１４に記載の方法。
（態様１６）
前記選択された通信プロトコルをサポートするために前記モジュールと前記携帯通信デバイスとの間で少なくとも一つの通信チャネルに電力供給することをさらに含む、態様１５に記載の方法。
（態様１７）
前記モジュールが少なくとも一つのバッテリーを含むかどうかを判定すること、含まれるときには前記携帯通信デバイスに電力を供給するために前記モジュールの前記少なくとも一つのバッテリーを選択すること、及び前記少なくとも一つのバッテリーの電力レベルをモニタリングすることをさらに含む、態様１４に記載の方法。
（態様１８）
複数の通信プロトコルのうちの少なくとも一つを選択することは、複数の通信プロトコルのうちの少なくとも二つを選択することを含む、態様１４に記載の方法。
【手続補正２】
【補正対象書類名】特許請求の範囲
【補正対象項目名】全文
【補正方法】変更
【補正の内容】
【特許請求の範囲】
【請求項１】
音声通信及び／又はデータ通信をサポートする際に使用するための携帯通信デバイス（１０）であって、前記携帯通信デバイス（１０）は、
筐体（１２）、
前記筐体（１２）内部に少なくとも部分的に配置されるプロセッサ（２４）、
前記筐体（１２）に配置されかつ前記プロセッサ（２４）に結合されるインターフェースコネクタ（２８）、及び、
バックパネル（２０）、を備え、
前記筐体（１２）は、前記バックパネル（２０）が前記筐体（１２）に取り外し可能に結合されるように構成され、
前記バックパネル（２０）が前記筐体（１２）から切り離されている場合に、モジュール（１００）が前記バックパネル（２０）の位置で携帯通信デバイス（１０）に結合可能であり、
前記モジュール（１００）が前記携帯通信デバイス（１０）に結合される場合、前記モジュール（１００）は、前記インターフェースコネクタ（２８）に通信可能に結合され、
前記モジュール（１００）は、少なくとも一つのアクセサリー機能を提供するように構成される、携帯通信デバイス（１０）。
【請求項２】
前記インターフェースコネクタ（２８）は、ＵＳＢインターフェース、Ｉ２Ｃインターフェース、ＳＰＩインターフェース、ＵＡＲＴインターフェース、及びディスプレーインターフェースのうちの少なくとも一つを備える、請求項１に記載の携帯通信デバイス（１０）。
【請求項３】
前記インターフェースコネクタ（２８）は、前記プロセッサ（２４）が前記モジュール（１００）の存在を検出することを許可するように構成される検出接続を備える、請求項１に記載の携帯通信デバイス（１０）。
【請求項４】
前記プロセッサ（２４）は、前記モジュール（１００）を認証するように構成され、前記プロセッサ（２４）は、未承認のモジュール（１００）との通信を禁止するように構成される、請求項１に記載の携帯通信デバイス（１０）。
【請求項５】
前記プロセッサ（２４）は、実質的に承認されたモジュール（１００）のためだけの複数の通信プロトコルのうちの少なくとも一つを選択するようにさらに構成される、請求項４に記載の携帯通信デバイス（１０）。
【請求項６】
前記プロセッサ（２４）に結合されるクリプトプロセッサ（３２）をさらに備え、前記クリプトプロセッサ（３２）は、前記プロセッサ（２４）によりアクセスされるデータの一部分に暗号化動作を提供するように構成される、請求項１に記載の携帯通信デバイス（１０）。
【請求項７】
前記筐体（１２）は、モジュール（１００）の嵌合コネクタとインターフェースコネクタ（２８）と係合させる間、同時に、前記モジュール（１００）をスライド可能に係合させるように構成される、請求項１に記載の携帯通信デバイス（１０）。
【請求項８】
前記プロセッサ（２４）に結合されるＧＰＳコンポーネント（３０）をさらに備える、請求項１に記載の携帯通信デバイス（１０）。
【請求項９】
前記プロセッサ（２４）は、前記インターフェースコネクタ（２８）で電力を管理して前記モジュール（１００）のホットスワップを許可するように構成される、請求項１に記載の携帯通信デバイス（１０）。
【請求項１０】
少なくとも一つのアクセサリー機能を携帯通信デバイス（１０）に追加する際に使用するための方法であって、前記携帯通信デバイス（１０）はプロセッサ（２４）及びインターフェースコネクタ（２８）を備え、前記方法は、
バックパネル（２０）を前記携帯通信デバイス（１０）の筐体（１２）から切り離すこと、
少なくとも一つのアクセサリー機能を提供するモジュール（１００）を、前記モジュール（１００）が前記携帯通信デバイス（１０）の前記インターフェースコネクタ（２８）に通信可能に結合されるように、前記バックパネル（２０）の位置で前記筐体（１２）に結合させること、
前記モジュール（１００）を前記プロセッサ（２４）で識別すること、及び
前記プロセッサ（２４）により、前記モジュール（１００）の前記識別に基づいて、前記インターフェースコネクタ（２８）を通して前記モジュール（１００）と通信すること
を含む方法。
【請求項１１】
前記モジュール（１００）を識別することは、前記モジュール（１００）の前記識別に基づき、前記モジュール（１００）が前記携帯通信デバイス（１０）とともに使用するための承認されたモジュール（１００）であるかどうかを判定することを含む、請求項１０に記載の方法。
【請求項１２】
更に、前記モジュール（１００）の前記識別に基づいて、複数の通信プロトコルのうちの少なくとも一つを選択することを含む、請求項１０に記載の方法。
【請求項１３】
前記選択された通信プロトコルをサポートするために前記モジュール（１００）と前記携帯通信デバイス（１０）との間で少なくとも一つの通信チャネルに電力供給することをさらに含む、請求項１２に記載の方法。
【請求項１４】
前記モジュール（１００）が少なくとも一つのバッテリー（１０２）を含むかどうかを判定すること、含まれるときには前記携帯通信デバイス（１０）に電力を供給するために前記モジュール（１００）の前記少なくとも一つのバッテリー（１０２）を選択すること、及び前記少なくとも一つのバッテリー（１０２）の電力レベルをモニタリングすることをさらに含む、請求項１０に記載の方法。